(57)【要約】【課題】回線を通じて音声信号の送受信を行なうと共に、ヘッドセット端末に回線からの発信者情報を取得可能とする親機と子機からなる電話装置およびその制御方法を提供するものである。【解決手段】回線２６を通じて音声信号の送受信を行なうと共に、ヘッドセット端末４に回線２６からの発信者情報を取得可能とする親機２と子機３からなる電話装置１において、回線から送られてくる発信者情報を検知する発信者情報検知部１３と、発信者情報を記憶する着信履歴記憶部１１と、発信者情報を電子電話帳１０に登録してある情報と比較し発信者の名前や電話番号等の情報からアナウンス音源を生成する音源生成部１２と、子機３およびヘッドセット端末４と双方向に音声無線通信を行なう無線通信部６とを有すことで、ヘッドセット端末４の装着者が発信相手を確認した上で通話開始できる。【選択図】図１
2006180008.tif 000002
【特許請求の範囲】
【請求項１】
回線を通じて音声信号の送受信を行なうと共に、ヘッドセット端末に回線からの発信者情報を取得可能とする親機と子機または携帯電話端末の少なくともいずれかを備えた電話装置において、回線から送られてくる発信者情報を検知する発信者情報検知部と、この発信者情報検知部で取得した発信者情報を記憶する着信履歴記憶部と、この着信履歴記憶部で記憶した発信者情報を電子電話帳に登録してある情報と比較し発信者の名前や電話番号等のアナウンス音源を生成する音源生成部と、アナウンス中にヘッドセット端末から通話終了の要求があると一旦双方向の音声無線通信を終了させ、再度親機側から音声無線通信を開始する制御部と、子機または携帯電話端末およびヘッドセット端末と双方向に音声無線通信を行なう無線通信部とを親機、子機または携帯電話端末の少なくともいずれかに備えた電話装置。
【請求項２】
前記音源生成部はメロディー音源も生成可能であり、着信音や保留音として利用可能とした請求項１に記載の電話装置。
【請求項３】
前記子機または携帯電話端末を複数備えた請求項１または２に記載の電話装置。
【請求項４】
回線を通じて音声信号の送受信を行なうと共に、ヘッドセット端末に回線からの発信者情報を取得可能とする親機と子機または携帯電話端末の少なくともいずれかを備えた電話装置において、回線から送られてくる発信者情報を検知する発信者情報検知ステップと、この発信者情報検知ステップで取得した発信者情報を記憶する着信履歴記憶ステップと、この着信履歴記憶ステップで記憶した発信者情報を電子電話帳に登録してある情報と比較し発信者の名前や電話番号等のアナウンス音源を生成する音源生成ステップと、アナウンス中にヘッドセット端末から通話終了の要求があると一旦双方向の音声無線通信を終了させ、再度親機側から音声無線通信を開始する制御ステップと、子機または携帯電話端末およびヘッドセット端末と双方向に音声無線通信を行なう無線通信ステップとを親機、子機または携帯電話端末の少なくともいずれかに行なわせる電話装置制御方法。
【請求項５】
前記音源生成ステップはメロディー音源も生成可能であり、着信音や保留音として利用可能とする請求項４に記載の電話装置制御方法。
【発明の詳細な説明】
【技術分野】
【０００１】
本発明は、ヘッドセット端末において回線からの発信者情報を取得可能とする電話装置およびその制御方法に関するものである。
【背景技術】
【０００２】
従来、ヘッドセット端末を利用できるコードレス電話装置は、ヘッドセット端末で着信に音声応答して発信者との間の通話を開始可能とすることができるものであった。
【０００３】
図６は従来のコードレス電話装置のブロック図である。
【０００４】
図６において、電話装置は、電話回線７３に接続され送受話機能および発着信機能を有する親機５１と、親機５１と無線回線７４により接続されこの無線回線７４および親機５１を通して電話回線７３との間で行われる送受話機能および発着信機能をそれぞれ有する複数の子機５２と、親機５１と無線回線７５により接続されこの無線回線７５および親機５１を通して電話回線７３との間で行われる送受話機能をそれぞれ有する複数の着信専用のヘッドセット端末５３とを備えている。
【０００５】
なお、図６では子機５２とヘッドセット端末５３をそれぞれ1個だけ図示しているが、実際はそれぞれ複数個を使用することができる（例えば特許文献１参照）。
【０００６】
親機５１は電話回線７３と接続された電話機５４と、親機５１の発着信制御、送受話制御を含むすべての制御を行う制御回路５５と、この制御回路５５と接続された送信部５７および受信部５６と、アンテナ５９と接続された送受共用器５８とを備えている。
【０００７】
また、各子機５２は電話機６０と、子機５２の発着信制御、送受話制御を含むすべての制御を行う制御回路６１と、この制御回路６１と接続された送信部６３および受信部６２と、アンテナ６５と接続された送受共用器６４とを備えている。
【０００８】
さらに、各ヘッドセット端末５３は頭部に装着可能であり、ヘッドセット端末５３の送受話制御を含むすべての制御を行う制御回路６６と、制御回路６６と接続された送信部６８および受信部６７と、アンテナ７０と接続された送受共用器６９と、制御回路６６と接続され音声出力を行うスピーカー７１と音声入力を行うマイクロホン７２とを備えている。
【０００９】
次に動作について説明すると、外部から電話回線７３を通して親機５１に着信があると、この着信信号は電話機５４を通して制御回路５５に入力され、さらに送信部５７および送受信共用器５８を通してアンテナ５９から無線回線７４、７５へ送信される。
【００１０】
子機５２では、無線回線７４からこの着信信号をアンテナ６５で受信し、アンテナ６５から送受共用器６４および受信部６２を通して制御回路６１に着信信号が入力され、電話機６０はこの着信に応答することにより外部の発信者からの音声信号を受話することができる。
【００１１】
また、電話機６０からの音声信号は制御回路６１、送信部６３および送受共用器６４を通してアンテナ６５から電波が送信され、親機５１では、無線回線７４からアンテナ５９で電波を受信し、子機５２からの音声信号は送受共用器５８、送信部５７および制御回路５５を通して電話機５４に入力され、さらに電話回線７３に送られる。
【００１２】
一方、無線回線７５を通して電話回線７３からの着信信号を受信したヘッドセット端末５３では、アンテナ７０で受信した着信信号は送受共用器６９および受信部６７を通して制御回路６６に入力され、スピーカー７１によりヘッドセット端末５３の装着者に着信を知らせる。
【００１３】
ここで、ヘッドセット端末５３の装着者がマイクロホン７２から音声を入力して応答すると、制御回路６６は応答信号を送信部６８および送受共用器６９を通してアンテナ７０から電波を送信し、この応答信号は無線回線７５通してアンテナ５９で受信され、さらに送受共用器５８、受信部５６、制御回路５５および電話機５４を通して電話回線７３に送信される。
【００１４】
発信側交換機は電話回線７３から応答信号を受信すると、一般に知られている手法で着信信号の送信を停止し、発信者とヘッドセット端末５３の装着者との間の通話パスが形成される。
【００１５】
したがって、発信者からの通話音声は電話回線７３、親機５１および無線回線７５を通し、さらにアンテナ７０、送受共用器６９、受信部６７および制御回路６６を通してスピーカー７１に達する。
【００１６】
一方、マイクロホン７２から入力されたヘッドセット端末５３の装着者の通話音声は上述した音声応答時の応答信号と同じ通話パスを通して発信者に達する。
【特許文献１】特開平８−１８１７４５号公報
【発明の開示】
【発明が解決しようとする課題】
【００１７】
しかしながら、上記従来の電話装置では、ヘッドセットの装着者に発信者が誰であるか等の発信者情報を提供することができないため、通話拒否したい相手であっても通話を開始しなければ相手がわからないという問題点を有していた。
【００１８】
本発明は上記問題点を解決するものであり、電話装置に音源生成部を搭載したことにより、ヘッドセットの装着者に発信者情報のアナウンス音源を提供することができる電話装置およびその制御方法を提供することを目的とするものである。
【課題を解決するための手段】
【００１９】
本発明は上記目的を達成するために、回線を通じて音声信号の送受信を行なうと共に、ヘッドセット端末に回線からの発信者情報を取得可能とする親機と子機または携帯電話端末の少なくともいずれかを備えた電話装置において、音源生成部を搭載しヘッドセットの装着者に発信者情報のアナウンス音源を提供する構成を備えるとともに、通話制御部がアナウンス音源提供のために形成された音声無線通信を通話開始と判断してしまうヘッドセット端末のボタン操作により通話終了を受けると一旦通話終了手順を行い、再度改めて音声無線通信を開始し、正常にヘッドセット端末を通話開始状態に移行し、かつ発信者に対して着信応答できる構成も備えている。
【００２０】
この構成により、音源生成部を使用して生成された発信者の名前や電話番号等の発信者情報のアナウンス音源をヘッドセットの装着者に提供し、発信相手を確認した上で通話開始できるという作用を達成することができる。
【発明の効果】
【００２１】
以上のように本発明によれば、回線を通じて音声信号の送受信を行なうと共に、ヘッドセット端末に回線からの発信者情報を取得可能とする親機と子機または携帯電話端末の少なくともいずれかを備えた電話装置において、回線から送られてくる発信者情報を検知する発信者情報検知部と、この発信者情報検知部で取得した発信者情報を記憶する着信履歴記憶部と、この着信履歴記憶部で記憶した発信者情報を電子電話帳に登録してある情報と比較し発信者の名前や電話番号等のアナウンス音源を生成する音源生成部と、アナウンス中にヘッドセット端末から通話終了の要求があると一旦双方向の音声無線通信を終了させ、再度親機側から音声無線通信を開始する通話制御部と、子機または携帯電話端末およびヘッドセット端末と双方向に音声無線通信を行なう無線通信部とを親機、子機または携帯電話端末の少なくともいずれかに備えた構成にしたことにより、音源生成部を使用して生成された発信者の名前や電話番号等の発信者情報のアナウンス音源をヘッドセットの装着者に提供し、発信相手を確認した上で通話開始できるという効果が得られる。
【発明を実施するための最良の形態】
【００２２】
本発明の電話装置は、回線を通じて音声信号の送受信を行なうと共に、ヘッドセット端末に回線からの発信者情報を取得可能とする親機と子機または携帯電話端末の少なくともいずれかを備えた電話装置において、回線から送られてくる発信者情報を検知する発信者情報検知部と、この発信者情報検知部で取得した発信者情報を記憶する着信履歴記憶部と、この着信履歴記憶部で記憶した発信者情報を電子電話帳に登録してある情報と比較し発信者の名前や電話番号等のアナウンス音源を生成する音源生成部と、アナウンス中にヘッドセット端末から通話終了の要求があると一旦双方向の音声無線通信を終了させ、再度親機側から音声無線通信を開始する通話制御部と、子機または携帯電話端末およびヘッドセット端末と双方向に音声無線通信を行なう無線通信部とを親機、子機または携帯電話端末の少なくともいずれかに備えた構成を有する。
【００２３】
これにより、音源生成部を使用して生成された発信者の名前や電話番号等の発信者情報のアナウンス音源をヘッドセットの装着者に提供し、発信相手を確認した上で通話開始できるという効果が得られる。
【００２４】
また、前記音源生成部はメロディー音源も生成可能であり、着信音や保留音のメロディー音源として利用可能とした構成を有する。
【００２５】
これにより、着信音や保留音のメロディー音源が生成でき、ヘッドセットの装着者に着信音や保留音のメロディーを提供することで、発信相手を確認し通話開始できるという効果が得られる。
【００２６】
また、前記子機または携帯電話端末を複数備えた構成を有する。
【００２７】
これにより、音源生成部を使用して生成された発信者の名前や電話番号等の発信者情報のアナウンス音源や着信音や保留音のメロディー音源を親機に登録された複数の子機または携帯電話端末で利用できるという効果が得られる。
【００２８】
本発明の電話装置制御方法は、回線を通じて音声信号の送受信を行なうと共に、ヘッドセット端末に回線からの発信者情報を取得可能とする親機と子機または携帯電話端末の少なくともいずれかを備えた電話装置において、回線から送られてくる発信者情報を検知する発信者情報検知ステップと、この発信者情報検知ステップで取得した発信者情報を記憶する着信履歴記憶ステップと、この着信履歴記憶ステップで記憶した発信者情報を電子電話帳に登録してある情報と比較し発信者の名前や電話番号等のアナウンス音源を生成する音源生成ステップと、アナウンス中にヘッドセット端末から通話終了の要求があると一旦双方向の音声無線通信を終了させ、再度親機側から音声無線通信を開始する通話制御ステップと、子機または携帯電話端末およびヘッドセット端末と双方向に音声無線通信を行なう無線通信ステップとを親機、子機または携帯電話端末の少なくともいずれかで行なうようにしたものである。
【００２９】
これにより、音源生成部を使用して生成された発信者の名前や電話番号等の発信者情報のアナウンス音源をヘッドセットの装着者に提供し、発信相手を確認した上で通話開始できるという効果が得られる。
【００３０】
また、親機と子機または携帯電話端末の少なくともいずれかにおいて、前記音源生成ステップはメロディー音源も生成可能であり、着信音や保留音のメロディー音源として利用可能とする。
【００３１】
これにより、着信音や保留音のメロディー音源が生成でき、ヘッドセットの装着者に着信音や保留音のメロディーを提供することで、発信相手を確認し通話開始できるという効果が得られる。
【実施例】
【００３２】
以下、本発明の実施例における電話装置およびその制御方法について、図面を参照しながら説明する。
【００３３】
（実施例１）
図1は本発明の実施例１の電話装置のブロック図である。
【００３４】
図１において、本発明の電話装置１は、回線２６に接続された親機２と、この親機２に登録され双方向に無線通信可能な子機３とで構成される。
【００３５】
親機２は、子機３およびヘッドセット端末４と双方向に音声無線通信を行なう無線通信部６と、回線２６を通じて外部と通話（外線通話）を行なう通話回路部１５と、スピーカーホン通話をするためスピーカー／マイク１６を含むスピーカーホン通話部１４と、外部と通話するためのダイヤル等の操作をするための親機操作部８と、ＬＣＤ等で構成されダイヤルした電話番号や相手の名前や同じく着信時の相手電話番号や名前を表示したりする親機表示部９と、予め電話番号や名前等を登録する電子電話帳１０と、回線２６から送られてくる発信者情報を検知する発信者情報検知部１３と、この発信者情報検知部１３で取得した発信者情報を記憶する着信履歴記憶部１１と、この着信履歴記憶部１１で記憶した発信者情報を電子電話帳１０に登録してある情報と比較し発信者の名前や電話番号等のアナウンス音源を生成する音源生成部１２と、ＣＰＵやＲＡＭやＲＯＭ等で構成され親機２の全体制御およびアナウンス中にヘッドセット端末から通話終了の要求があると一旦双方向の音声無線通信を終了させ、再度親機側から音声無線通信を開始する通話制御を行なう制御部５と、通話するための受話器７により構成される。
【００３６】
子機３は、親機２と双方向に無線通信を行なう無線通信部１７と、親機２との内線通話や親機２を介して外部と通話するための通話部２２と、通話するためのダイヤル等の操作をするための子機操作部１８と、ＬＣＤ等で構成されダイヤルした電話番号や相手の名前や同じく着信時の相手電話番号や名前を表示したりする子機表示部１９と、予め電話番号や名前等を登録する電子電話帳２０と、親機２から送られてくる着信音や保留音等の音声出力をするスピーカー２３と、ＣＰＵやＲＡＭやＲＯＭ等で構成され子機３の全体制御およびアナウンス中にヘッドセット端末から通話終了の要求があると一旦双方向の音声無線通信を終了させ、再度親機側から音声無線通信を開始する通話制御を行なう制御部２１により構成される。
【００３７】
ヘッドセット端末４は、親機２と双方向に音声無線通信を行なう無線通信部２４と、ヘッドセット端末４の電源ＯＮ／ＯＦＦをするＰｏｗｅｒボタン、通話開始および終了を行なうためのＴＡＬＫボタン、通話中の受話音量を可変するＶｏｌ  ｕｐ／ｄｏｗｎボタンからなる操作部２５により構成される。
【００３８】
以上のように構成された電話装置の動作について説明する。
【００３９】
図２は、本発明の実施例１の電話装置の動作、すなわち電話装置制御方法を示すフローチャートである。
【００４０】
例えば、予め電話装置１の親機２に登録された子機３およびヘッドセット端末４があり、親機２に回線２６から着信があると親機２はその発信者情報（電話番号や着信相手の名前、着信音等）を受け（ステップＳ２１）、親機２は子機３やヘッドセット端末４と双方向に音声無線通信をするために無線通信規約（通信プロトコル）にしたがってリンク（通信可能状態）を張る（ステップＳ２２）。
【００４１】
親機２は、ステップＳ２１で回線２６から受けた発信者情報を発信者情報検知部１３で検知すると（ステップＳ２３）、その発信者情報を着信履歴記憶部１１に記憶し（ステップＳ２４）、記憶した発信者情報と予め電子電話帳１０に登録してある名前や電話番号等の個人情報と比較する（ステップＳ２５）。
【００４２】
そして、親機２はヘッドセット端末４と音声無線通信を形成（ステップＳ２６）、ヘッドセット端末４は通話開始と判断し（ステップＳ２７）、発信者が確定できると音源生成部１２でヘッドセット端末４にアナウンスする内容にしたがって最も適した読みやアクセントに処理するテキスト解析処理を行ない、このテキスト解析処理で生成された内容を実際の音声データに変換処理しアナウンス音源を生成する（ステップＳ２８）。
【００４３】
ステップＳ２８で生成するアナウンス音源は、例えば発信相手の名前であったり電話番号であったり、また発信者がわからない場合は発信者が不明である旨を知らせる内容である。
【００４４】
ステップＳ２８でアナウンス音源が生成されると、親機２はステップＳ２７でヘッドセット端末４と通信可能状態になっているのでアナウンス音源を送信し（ステップＳ２９）、それを受けたヘッドセット端末４の装置者は発信者が誰であるか等をアナウンス音源により確認し、操作部２５のＴＡＬＫボタンを押下するが（ステップＳ３０）、このステップＳ３０の操作をアナウンス中に行なうと、制御部５は一旦親機２とヘッドセット端末４との双方向の音声無線通信を終了する（ステップＳ３１）。
【００４５】
しかし、制御部５は再度親機２からヘッドセット端末４と音声無線通信を開始する通話制御を行ない（ステップＳ３２）、ヘッドセット端末４は通話開始と判断し（ステップＳ３３）、通話を開始する。
【００４６】
なお、親機２と子機３およびヘッドセット端末４と双方向に音声無線通信する無線通信規約は、ＩＥＥＥ８０２．１１ａ、１１ｂ、１１ｇで勧告化された規格や近距離無線規格のブルートゥース（Ｂｌｕｅｔｏｏｔｈ）やジグビー（Ｚｉｇｂｅｅ）等であったり、ＤＥＣＴ（Ｄｉｇｉｔａｌ  Ｅｎｈａｎｃｅｄ  Ｃｏｒｄｌｅｓｓ  Ｔｅｌｅｃｏｍｍｕｎｉｃａｔｉｏｎｓ）方式やＰＨＳ（Ｐｅｒｓｏｎａｌ  Ｈａｎｄｙｐｈｏｎｅ  Ｓｙｓｔｅｍ）方式等である。
【００４７】
ここで、前記ステップにおいて、親機２が回線２６から受けた発信者情報を発信者情報検知部１３で検知するステップＳ２３が発信者情報検知ステップで、この発信者情報検知ステップで検知した発信者情報を着信履歴記憶部１１に記憶するステップＳ２４が着信履歴記憶ステップで、この着信履歴記憶ステップで記憶した発信者情報と予め電子電話帳１０に登録してある名前や電話番号等の個人情報と比較するステップＳ２５と、発信者が確定できると音源生成部１２でヘッドセット端末４にアナウンスする内容にしたがって最も適した読みやアクセントに処理するテキスト解析処理を行ない、このテキスト解析処理で生成された内容を実際の音声データに変換処理しアナウンス音源を生成するステップＳ２８とが音源生成ステップで、この音源生成ステップでアナウンス音源が生成され、親機２からヘッドセット端末４に音声通信を開始しアナウンス音源を送信するステップＳ２９が無線通信ステップで、ヘッドセット端末４の装置者が発信者が誰であるか等をアナウンス音源により確認し、操作部２５のＴＡＬＫボタンを押下するステップＳ３０と、このステップＳ３０の操作をアナウンス中に行なうと、制御部５は一旦親機２とヘッドセット端末４との双方向の音声無線通信を終了するステップＳ３１と、再度親機２からヘッドセット端末４と音声無線通信を開始する通話制御を行なうステップＳ３２とが制御ステップである。
【００４８】
以上のように本実施例１によれば、回線を通じて音声信号の送受信を行なうと共に、ヘッドセット端末４に回線からの発信者情報を取得可能とする親機２と子機３からなる電話装置１において、回線から送られてくる発信者情報を検知する発信者情報検知部１３と、この発信者情報検知部１３で取得した発信者情報を記憶する着信履歴記憶部１１と、この着信履歴記憶部１１で記憶した発信者情報を電子電話帳１０に登録してある情報と比較し発信者の名前や電話番号等のアナウンス音源を生成する音源生成部１２と、アナウンス中にヘッドセット端末４から通話終了の要求があると一旦双方向の音声無線通信を終了させ、再度親機側から音声無線通信を開始する制御部と、子機３およびヘッドセット端末４と双方向に音声無線通信を行なう無線通信部６とを親機２に有することにより、音源生成部１２を使用して生成された発信者の名前や電話番号等の発信者情報のアナウンス音源をヘッドセット端末４の装着者に提供し、発信相手を確認した上で通話開始ができる。
【００４９】
なお、図３の本発明の実施例１の電話装置の子機に機能追加したブロック図に示すように、子機３に回線から送られてくる発信者情報を検知する発信者情報検知部２９と、この発信者情報検知部２９で取得した発信者情報を記憶する着信履歴記憶部２７と、この着信履歴記憶部２７で記憶した発信者情報を電子電話帳２０に登録してある情報と比較し発信者の名前や電話番号等のアナウンス音源を生成する音源生成部２８と、ヘッドセット端末４と双方向に音声無線通信を行なう無線通信部１７とを備えた構成でも良く、また図４の本発明の実施例１の携帯電話端末を利用した電話装置のブロック図に示すように、高機能音源を生成できる音源生成部３２と、電話装置１の親機２や子機３やヘッドセット端末４と双方向に音声無線通信を行なう無線通信部と、携帯ネットワークから送られてくる発信者情報を検知する発信者情報検知部３５と、この発信者情報検知部３５で取得した発信者情報を記憶する着信履歴記憶部３４と、携帯電話端末３０の全体制御を行なう制御部３１とを備えた携帯電話端末３０を利用する構成でも良く、また電話装置１に複数の子機３または携帯電話端末３０が登録された構成でもよい。
【００５０】
また上述の通り、電話装置としてハードウェア的に実現できることは勿論のこと、「ステップ」として把握し電話装置の制御方法としてソフトウェア的に実現することもできることは明らかである。
【００５１】
（実施例２）
以下、本発明の実施例２における電話装置およびその制御方法について、図面を参照しながら説明する。
【００５２】
実施例２の電話装置１は、図１の本発明の実施例１における電話装置のブロック図の構成と同様であり、その説明は省略する。
【００５３】
以上のように構成された電話装置の動作について説明する。
【００５４】
本発明の実施例２の電話装置の動作、すなわち電話装置制御方法は基本的に図２の本発明の実施例１の電話装置の動作を示すフローチャートで示され、異なる点は図５の本発明の実施例２の電話装置の動作を示すフローチャートのステップＳ３４で親機２は発信者情報から音源生成部１２でメロディー音源も生成可能なところである。
【００５５】
ステップＳ３４で親機２が発信者情報から音源生成部１２で生成するメロディー音源は、着信履歴記憶部１１で記憶した発信者情報を電子電話帳１０に登録してある情報と比較し発信者の名前や電話番号等を示すメロディー音源で、ＦＭ音源やＰＣＭ音源やＭＩＤＩ音源等の少なくともいずれかの音源生成が可能である。
【００５６】
なお、このメロディー音源は子機３または携帯電話端末３０において生成される構成でも良く、また電話装置１に複数の子機３または携帯電話端末３０が登録された構成でもよい。
【００５７】
以上のように本実施例２によれば、回線を通じて音声信号の送受信を行なうと共に、ヘッドセット端末４に回線からの発信者情報を取得可能とする親機２と子機３または携帯電話端末３０からなる電話装置１において、音源生成部１２はメロディー音源も生成可能な構成を備えたことにより、着信音や保留音のメロディー音源が生成でき、ヘッドセット端末４の装着者に着信音や保留音のメロディーを提供し、発信相手を確認した上で通話開始できる。
【００５８】
また上述の通り、電話装置としてハードウェア的に実現できることは勿論のこと、「ステップ」として把握し電話装置の制御方法としてソフトウェア的に実現することもできることは明らかである。
【産業上の利用可能性】
【００５９】
以上のように本発明の電話装置およびその制御方法は、回線を通じて音声信号の送受信を行なうと共に、ヘッドセット端末に回線からの発信者情報を取得可能とする親機と子機または携帯電話端末からなる電話装置において、ヘッドセットの装着者が発信相手を確認した上で通話開始できるという効果を有し、様々なヘッドセット端末と連携する電話装置の利用方法として有用である。
【図面の簡単な説明】
【００６０】
【図１】本発明の実施例１の電話装置のブロック図
【図２】本発明の実施例１の電話装置の動作を示すフローチャート
【図３】本発明の実施例１の電話装置の子機に機能追加したブロック図
【図４】本発明の実施例１の携帯電話端末を利用した電話装置のブロック図
【図５】本発明の実施例２の電話装置の動作を示すフローチャート
【図６】従来のコードレス電話装置のブロック図
【符号の説明】
【００６１】
１    電話装置
２    親機
３    子機
４    ヘッドセット端末
５，２１，３１    制御部
６，１７，２４，３３    無線通信部
７    受話器
８    親機操作部
９    親機表示部
１０，２０    電子電話帳
１１，２７，３４    着信履歴記憶部
１２，２８，３２    音源生成部
１３，２９，３５    発信者情報検知部
１４    スピーカーホン通話部
１５    通話回路部
１６    スピーカー／マイク
１８    子機操作部
１９    子機表示部
２２    通話部
２３    スピーカー
２５    操作部
２６    回線
３０    携帯電話端末
【図１】
2006180008.tif 000003
【図２】
2006180008.tif 000004
【図３】
2006180008.tif 000005
【図４】
2006180008.tif 000006
【図５】
2006180008.tif 000007
【図６】
2006180008.tif 000008